(57)【要約】【課題】首部開口に薄膜閉鎖材を施した容器のキャップ背面に、使用後における怪我の危険がない窄孔針を備える。【解決手段】キャップの背面側に形成したところの容器の首部より径大の凹部と、該凹部内に、鋭突に尖らせた先端を外方に向けて装入される窄孔針からなり、該窄孔針は胴部先端を鋭利とするとともに該胴部の基部には水平対称方向に向けて突出させたところの、上記凹部の内径に略等しい長さのバー状の脚部を有するとともに、凹部は上記窄孔針の長さより長い深さを有し、しかも該凹部内には上記窄孔針の胴部外径に略等しい内径であって、少なくとも一部の左右対称側の側壁を切り欠いて前記したバー状の脚部をガイドするガイド溝を設けた筒状の窄孔針案内筒が同芯状に植立され、しかも底部より幾分開口部方向上方にかけて、上記窄孔針の基部を無理嵌装させる収納部を形成した。これにより窄孔後、キャップの取り扱い中の窄孔針による危険を減少させる。【選択図】図１
2010001027.tif 000002
【特許請求の範囲】
【請求項１】
圧し出し通路に閉鎖材を施した容器の首部開口部に被嵌されるキャップであって、該キャップは、背面側に形成されたところの、容器の首部より径大の凹部と、該凹部内に、鋭突に尖らせた先端を外方に向けて装入される窄孔針とからなり、該窄孔針は胴部先端を鋭利とするとともに該胴部の基部には水平対称方向に向けて突出させたところの、上記凹部の内径に略等しい長さのバー状の脚部を有し、さらに凹部は上記窄孔針の長さより長い深さを有し、しかも該凹部内には上記窄孔針の胴部外径に略等しい内径であって、少なくとも一部の左右対称側の側壁を切り欠いてバー状の脚部をガイドするガイド溝を設けた筒状の窄孔針案内筒が同芯状に植立され、さらに底部より幾分開口部方向上方にかけて、上記窄孔針の基部を無理嵌装させる収納部を形成してなることを特徴とした容器用のキャップ。
【請求項２】
キャップの背面側凹部の内底部より幾分開口部方向上方にかけて形成した窄孔針基部の収納部は、内底部より開口部方向上方にかけて内径方向に僅かに縮径させた段部を形成してなるものであるところの請求項１に記載の容器用のキャップ。
【請求項３】
凹部の窄孔針案内筒内に保持される窄孔針は、胴部から左右のバー状の脚部にかけて次第に径大となるテーパー部を有するものであるところの請求項１または２に記載の容器用のキャップ。
【請求項４】
凹部の窄孔針案内筒内に保持される窄孔針には、胴部の少なくとも下方部であって左右に対称方向に突出させた脚部に対して交差する方向に向けた割り溝が形成されているところの請求項１〜３の何れか１に記載の容器用のキャップ。
【請求項５】
キャップの背面側凹部内には、窄孔針収納部との間にバー状の脚部の高さ以上の間隔を介した開口部寄りの位置に、窄孔針案内筒方向に突出させた抜け止め防止部が形成されているところの請求項１〜４の何れか１に記載の容器用のキャップ。
【発明の詳細な説明】
【技術分野】
【０００１】
本発明は、例えば化粧品あるいは目薬、各種の医薬品、または食品香味料などのバリアー性を要求される圧し出しチューブその他の容器の首部開口部に被嵌して用いられる容器用のキャップに関し、容器の使用時において、摘出通路に施された薄膜の閉鎖材を破封するための窄孔針を備えたキャップの安全性を高めることを目的とする。
【背景技術】
【０００２】
従来知られている窄孔針を備えた容器の一例として挙げられる圧し出しチューブ用のキャップとしては、チューブに嵌合するねじ部の反対側に先端を鋭利に尖らせた錐状の突起を設けたもの（実公平３−５４０４９号公報参照）や、あるいはキャップの周壁内に、弾性体の一端を連結するとともに、他端をチューブ容器の閉鎖膜の上方に位置する可動突起に連結して、該可動突起がキャップの周壁内で上下動可能に装着された、閉鎖膜付きチューブ容器のキャップにおいて、前記キャップの周壁上部に、少なくとも１箇所の切欠部を形成したもの（特開平１０−１３９０５９号公報参照）も、知られている。
【特許文献１】実公平３−５４０４９号公報
【特許文献２】特開平１０−１３９０５９号公報
【発明の開示】
【発明が解決しようとする課題】
【０００３】
しかしながら、上記した引用文献１に開示された内容のチューブ用キャップにあっては、外方に向けた錐状の鋭利に尖らせた突起先端がキャップの端面近くに位置しているために、キャップの取り扱いに際して指や手を怪我しやすく、取り扱いに著しく注意を要する。
【０００４】
また引用文献２に開示された内容のチューブ容器のキャップにあっては、怪我のおそれはないものの、閉鎖膜を突き破った後においても可動突起がそのままキャップ内に残存し、該チューブ容器を繰り返し使用する場合に弾性体に微細な孔や裂け目を生じると直ちにバリアー性が失われやすく、また構造的にも階段状のジャバラに形成された円錐形状の弾性体部分がキャップと同材質により形成されるために、必然的に製造が難しく耐久性に劣り、高コストとなるのを免れない。
【課題を解決するための手段】
【０００５】
本発明は上記した従来技術における各種の課題を解決し、安全性が高く、しかも安価に生産が可能な圧し出しチューブをはじめとした各種容器用のキャップを開発したものであって、具体的には摘出通路に閉鎖材を施した容器の首部開口部に被嵌されるキャップであって、該キャップは、背面側に形成されたところの、容器の首部より径大の凹部と、該凹部内に、先端を外方に向けて装入された先端が鋭利な窄孔針とからなり、上記凹部は窄孔針の長さより長い深さを有するとともに、底部より僅かに開口部方向上方にかけて、上記窄孔針の基部を無理嵌装させる収納部を形成してなることを特徴とした容器用のキャップに関する。
【０００６】
また本発明は、上記した凹部の窄孔針案内筒内に保持される窄孔針が、胴部からバー状の脚部にかけて次第に径大となるテーパー部を有するものであるところの容器用のキャップに関し、また窄孔針胴部の少なくとも下方部であって左右に対称方向に突出させた脚部に対して交差する方向に向けた割り溝が形成されているところの容器用のキャップにも関する。さらに本発明は、キャップの背面側凹部内には、窄孔針収納部との間にバー状の脚部の高さ以上の間隔を介した開口部寄りの位置に、窄孔針案内筒方向に突出させた抜け止め防止部が形成されているところの容器用のキャップにも関する。
【発明の効果】
【０００７】
本発明は、キャップの背面側に形成したところの容器の首部より径大の凹部と、該凹部内に、鋭突に尖らせた先端を外方に向けて装入される窄孔針とからなり、該窄孔針は胴部先端を鋭利とするとともに該胴部の基部には水平対称方向に向けて突出させたところの、上記凹部の内径に略等しい長さのバー状の脚部を有するとともに、凹部は上記窄孔針の長さより長い深さを有し、しかも該凹部内には上記窄孔針の胴部外径に略等しい内径であって、少なくとも一部の左右対称側の側壁を切り欠いて前記したバー状の脚部をガイドするガイド溝を設けた筒状の窄孔針案内筒が同芯状に植立され、しかも底部より幾分開口部方向上方にかけて、上記窄孔針の基部を無理嵌装させる収納部を形成してなるものである。
【０００８】
このために、キャップの背面側を利用して窄孔針により容器の摘出通路に施された閉鎖材を突き破った後、さらにキャップの背面を容器の首部に圧しつけることにより容器の開口部における開口縁によって窄孔針の基部が凹部の内奥へと押圧されて収納部内に無理嵌装させて凹部内に収納することができる。
【０００９】
またこの場合に窄孔針が、胴部からバー状の脚部にかけて次第に径大となるテーパー部を有し、また窄孔針胴部の少なくとも下方部であって左右に対称方向に突出させた脚部に対して交差する方向に向けた割り溝が形成されているために、窄孔針により容器の摘出通路に施された閉鎖材を突き破る際に窄孔針に設けられた左右のテーパー部が共に容器の摘出通路開口縁に沿って摺動しつつ圧し込まれる。
【００１０】
その結果窄孔針の左右のテーパー部が容器の圧し出し通路開口内部に進入するのに伴って窄孔針の胴部が軸心方向に向けて次第に加圧され、割り溝の間隔を次第に狭めつつ基部の外径が縮小し、凹部内奥の幾分径小にした段部を乗り超えて収納部内に押し込まれ、窄孔針の鋭利な先端部がキャップ表面よりも奥方へと収納されるために、窄孔後のキャップの取り扱い中における窄孔針との接触による手や指の怪我や痛みを無くし、安全性を保持することができる。
【００１１】
またキャップの背面側凹部内には、窄孔針収納部との間にバー状の脚部の高さ以上の間隔を介して内周側に突出させた抜け止め防止部が形成されているために、容器の使用開始前に窄孔針がキャップの凹部内より不用意に抜け出すのを防ぐことができる。
【発明を実施するための最良の形態】
【００１２】
以下において本発明の具体的な内容を、容器の一例である圧し出しチューブ用のキャップに適用した場合について図面をもとに説明をすると、図において１はキャップ、６は窄孔針、１１は圧し出し通路に閉鎖材を施したチューブをあらわしている。チューブ１１は片側を閉鎖した筒状体の一端にショルダー部１２を介して首部１３が形成され、さらに該首部１３の開口部１４を圧し出し通路として内容物を外方に圧し出すものであり、さらに内容物のバリアー性を保持するために閉鎖材１５が施されている。
【００１３】
なおこの閉鎖材１５については通常はアルミニウム等の金属箔ポリエチレン等の合成樹脂膜などが開口部１４の外側に施されていることが多いが、近時とくにガスバリア性・保香性に優れ、またレトルト対応が可能で、しかも開封時の取り扱い（対トップシール）が容易で、また改ざん防止機能を有するよう、図１にあらわしたようなチューブ１１のショルダー部１２内面から首部１３および開口部１４にかけてアルミ等の金属シートを積層一体化させた所謂メンブランチューブが多く用いられている。
【００１４】
一方キャップ１はチューブ１１の首部１３に螺合被嵌されるべく、片側にチューブ１１の首部１３の外形（Ｘ）に略等しい内径（Ｖ）の、内周面に螺条２ａが形成された密閉嵌合室２を有する。さらに該キャップ１の背面側には前記したチューブ１１の首部１３の径（Ｘ）より径大（Ｗ）の凹部３が形成されている。さらにこの凹部３は後記する窄孔針６の長さＬより長い深さ（Ｙ）を有し、しかも該凹部３内には図２にも示したように上記窄孔針６の胴部外径に略等しい内径であって、少なくとも一部の左右対称側の側壁を切り欠いてバー状の脚部９・９をガイドするガイド溝５ａ・５ａを設けた筒状の窄孔針案内筒５が同芯状に植立され、しかも凹部３における底部より幾分開口部方向上方にかけて、上記窄孔針６の基部を無理嵌装させる収納部４を形成してなる。
【００１５】
この収納部４の形成については、窄孔針６の基部に設けたバー状の脚部９・９をもって窄孔針６の全体を凹部３内奥位置に固定できる構造のものであればよく、本実施例においては凹部３内底面より開口部方向上方の位置（窄孔針案内筒５の基部５ｂとの間に窄孔針６のバー状の脚部９・９を収納可能なスペースを確保できる位置）までの高さ部分の内径を、前記した窄孔針６のバー状の脚部９・９の長さＭよりも短い距離となるよう径小として段部３ａを形成し、該段部３ａより底部よりの部分をもって収納部４を形成してある。
【００１６】
なおこの場合に、凹部３の内底部より開口部方向上方の一定高さ位置に、凹部３の内壁面より内径方向に僅かに突出させた突条もしくは突起部を形成するようにして収納部４を形成してもよい。
【００１７】
さらに窄孔針６について詳細を説明すると、図２にあらわしたように、胴部７の先端を尖らせて鋭利部８とするとともに該胴部７が、胴部７中心の少なくとも下方部には基部７ｂにかけて割り溝７ａが形成されており、しかも胴部７の基部７ｂには水平対称方向に向けて突出させたところの、前記凹部３の内径（Ｗ）に略等しい長さのバー状の脚部９・９を有する。
【００１８】
さらに、凹部３の窄孔針案内筒５内に保持される窄孔針６には、胴部７から両側のバー状の脚部９・９にかけて、チューブ１１の首部１３開口部１４の内径よりも次第に径大となるテーパー部９ａが形成されており、これによりチューブ１１の開口部に施された閉鎖材１５を開封した後、チューブ１１の開口部１４の開口縁によりバー状の脚部９・９が収納部４方向に押圧される。なお３ｂは抜け止め防止部の一例としての突起部であり、この実施例においては凹部３の内周壁面より窄孔針案内筒５に向けて突出させた環状の突起部を形成してある。
【００１９】
この突起部３ｂがバー状の脚部９・９の凹部３から外方への抜け出しを阻止し、未使用時における凹部３内の窄孔針６の落下を防いで危険を防止するように構成されている。また窄孔針６について、図６にあらわしたように割り溝７ａのほかにバー状の脚部９・９の取付部である左右両脇部分の胴部７に細いスリット１０・１０を形成すると、チューブ１１の首部１３開口縁により押されたバー状の脚部９の凹部３内奥収納部４への収納移動をさらにより一層容易にすることができる。
【００２０】
上記の構成において、キャップ１の凹部３内に植立させた筒状の窄孔針案内筒５内に窄孔針６を、鋭利部８を外方に向け、左右のバー状の脚部９・９をガイド溝５ａ・５ａ内に位置合わせし、該バー状の脚部９・９が突起部３ｂを無理乗り越えさせて突起部３ｂと段部３ａとの間に位置するよう装入した状態で使用に供するものとする。
【００２１】
実際の使用に際しては、キャップ１の背面（窄孔針６の鋭利部８が突出する側）をチューブ１１の首部１３の開口部１４に対面させ（図１）、キャップ１の凹部３をチューブ１１の首部１３に被せ、さらにキャップ１の凹部３をチューブ１１の首部１３に圧しつけると凹部３内より突出する窄孔針６の鋭利部８が開口部１４に施されている閉鎖材１５に突き当たり、破封を開始する（図３参照）。
【００２２】
図３の状態より、さらにキャップ１の凹部３をチューブ１１の首部１３に圧しつけると窄孔針６の左右両側のテーパー部９ａ・９ａがそれぞれチューブ１１の首部１３の開口部１４における開口縁により次第に軸芯方向へと押圧されて割り溝７ａの間隔が縮小し、それに伴って左右のバー状の脚部９・９の、特に下端部の長さＭが短くなる（図４参照）。
【００２３】
その結果左右のバー状の脚部９・９が段部３ａを容易に乗り越えて収納部４内に嵌め込まれ、これに伴って窄孔針６が凹部３の内奥方へ移動するので開口部よりも大幅に凹部３の奥方に没することになり、キャップ１の操作中に先端の鋭利部８による手先や指先を怪我する危険性が著しく減少する（図５参照）。
【００２４】
またキャップ１を反転させて密閉嵌合室２をチューブ１１の首部１３の開口部１４に被嵌させ、両者の螺条２ａ等により締め付けてチューブ１１の内容物のその後におけるバリアー性を維持することができる。
【図面の簡単な説明】
【００２５】
【図１】本発明の実施例である圧し出しチューブ用のキャップおよびチューブの一部をそれぞれ半裁してあらわした拡大断面図。
【図２】本発明の圧し出しチューブ用のキャップ内に装入される窄孔針、および該窄孔針をスライド保持するための窄孔針案内筒の一部を拡大してあらわした斜視図。
【図３】本発明に係る圧し出しチューブ用のキャップの使用状態をあらわした要部拡大断面図。
【図４】本発明に係る圧し出しチューブ用のキャップの使用状態をあらわした要部拡大断面図。
【図５】本発明に係る圧し出しチューブ用のキャップの使用状態をあらわした要部拡大断面図。
【図６】本発明の圧し出しチューブ用のキャップ内に装入される窄孔針の別の実施例を拡大してあらわした正面図（Ａ）および側面図（Ｂ）。
【符号の説明】
【００２６】
１      キャップ
２      密閉嵌合室
２ａ    螺条
３      凹部
３ａ    段部
３ｂ    突起部
４      収納部
５      窄孔針案内筒
５ａ    ガイド溝
５ｂ    基部
６      窄孔針
７      胴部
７ａ    割り溝
７ｂ    基部
８      鋭利部
９      バー状の脚部
９ａ    テーパー部
１０    スリット
１１    チューブ
１２    ショルダー部
１３    首部
１４    開口部
１５    閉鎖材
【図１】
2010001027.tif 000003
【図２】
2010001027.tif 000004
【図３】
2010001027.tif 000005
【図４】
2010001027.tif 000006
【図５】
2010001027.tif 000007
【図６】
2010001027.tif 000008